【手続補正書】
【提出日】平成29年4月18日(2017.4.18)
【手続補正１】
【補正対象書類名】特許請求の範囲
【補正対象項目名】全文
【補正方法】変更
【補正の内容】
【特許請求の範囲】
【請求項１】
ワイヤレス通信システム内の階層的通信のための方法であって、
前記ワイヤレス通信システム内で動作するようにワイヤレスデバイスを構成することと、ここにおいて、前記ワイヤレス通信システムが、第１のレイヤを通して部分的に定義され、ここにおいて、第１のレイヤ送信が、送信と前記送信の受信の確認応答との間に第１のラウンドトリップ時間（ＲＴＴ）を有する第１のサブフレームタイプを有する、
前記第１のレイヤと多重化された第２のレイヤにおいて前記ワイヤレスデバイスを動作させることと、ここにおいて、第２のレイヤ送信が、前記第１のＲＴＴよりも小さい第２のＲＴＴを有する第２のサブフレームタイプを有する、
を備える方法。
【請求項２】
前記第１のレイヤと多重化された前記第２のレイヤにおいて前記ワイヤレスデバイスを前記動作させることが、前記第２のサブフレームタイプと前記第２のＲＴＴとを有する１つまたは複数の他のサブフレームを、フレームの中で前記ワイヤレスデバイスによって、送信することを備える、
請求項１に記載の方法。
【請求項３】
前記第１のサブフレームタイプを有する１つまたは複数のサブフレームを、前記フレームの中で前記ワイヤレスデバイスによって、送信することをさらに備える、請求項２に記載の方法。
【請求項４】
前記第１のレイヤと多重化された前記第２のレイヤが、前記第１のサブフレームタイプを有する前記１つまたは複数のサブフレームと時分割多重化された、前記第２のサブフレームタイプとしての１つまたは複数のサブフレームを備える、請求項２に記載の方法。
【請求項５】
前記第１のレイヤと多重化された前記第２のレイヤが、前記第１のサブフレームタイプを有する前記１つまたは複数のサブフレームと周波数分割多重化された、前記第２のサブフレームタイプとしての１つまたは複数のサブフレームを備える、請求項２に記載の方法。
【請求項６】
前記第１のサブフレームタイプを有するサブフレームの持続時間が、前記第２のサブフレームタイプを有するサブフレームの持続時間に実質的に等しい、請求項１に記載の方法。
【請求項７】
前記第１のサブフレームタイプが、第１の持続時間のシンボルを備え、前記第２のサブフレームタイプが、前記第１の持続時間よりも短い第２の持続時間のシンボルを備える、請求項１に記載の方法。
【請求項８】
前記第１のサブフレームタイプとしてのシンボルおよび前記第２のサブフレームタイプとしてのシンボルが、直交周波数分割多重化（ＯＦＤＭ）されたシンボルを備える、請求項７に記載の方法。
【請求項９】
前記第１のサブフレームタイプとしてのシンボルおよび前記第２のサブフレームタイプとしてのシンボルが、シングルキャリア周波数分割多重化（ＳＣ−ＦＤＭ）されたシンボルを備える、請求項７に記載の方法。
【請求項１０】
前記第２のサブフレームタイプが、前記第１の持続時間のシンボルと、前記第２の持続時間のシンボルとを備える、請求項７に記載の方法。
【請求項１１】
前記第２のサブフレームタイプが、デバイスの第１のクラス用にフォーマッティングされたシンボルと、デバイスの第２のクラス用にフォーマッティングされたシンボルとを備える、請求項７に記載の方法。
【請求項１２】
前記第２の持続時間のシンボルを生成するようにクロックを適合させることによって、前記第１の持続時間のシンボルを生成するように構成された前記ワイヤレスデバイスの前記クロックを利用すること
をさらに備える、請求項７に記載の方法。
【請求項１３】
前記第２のサブフレームタイプとしてのサブフレームの中で、データを前記ワイヤレスデバイスによって送信することと、
前記第２のサブフレームタイプとしての前記サブフレーム内で、前記送信の受信の前記確認応答を前記ワイヤレスデバイスによって受信することと
をさらに備える、請求項１に記載の方法。
【請求項１４】
前記第２のサブフレームタイプとしてのサブフレーム内で、送信を前記ワイヤレスデバイスによって受信することと、
前記第２のサブフレームタイプとしての、前記サブフレーム内または後続のサブフレーム内で、前記送信の受信の前記確認応答を前記ワイヤレスデバイスによって送信することと
をさらに備える、請求項１に記載の方法。
【請求項１５】
前記第１のサブフレームタイプとしてのサブフレームが、周波数分割複信（ＦＤＤ）、時分割複信（ＴＤＤ）、または補助ダウンリンク（ＳＤＬ）サブフレームであり、ここにおいて、前記第２のサブフレームタイプとしてのサブフレームが、ＦＤＤ、ＴＤＤ、またはＳＤＬバーストサブフレームである、請求項１に記載の方法。
【請求項１６】
前記ワイヤレス通信システムが、
２つ以上の別個のコンポーネントキャリアを使用して、前記第１のサブフレームタイプとしての１つまたは複数のサブフレームを同時に送信することと、前記コンポーネントキャリアのうちの少なくとも１つが第１の帯域幅を有する、
第２の帯域幅を有する１つのコンポーネントキャリアを使用して、前記第２のサブフレームタイプとしてのサブフレームを送信することと、前記第２の帯域幅は前記第１の帯域幅よりも大きい、
を行うように構成される、請求項１に記載の方法。
【請求項１７】
前記第１のサブフレームタイプとしての前記１つまたは複数のサブフレームおよび前記第２のサブフレームタイプとしての前記サブフレームが、フレーム内で送信される、請求項１６に記載の方法。
【請求項１８】
前記第１のサブフレームタイプを有するサブフレームが、１４個以下のＯＦＤＭまたはＳＣ−ＦＤＭシンボルを備え、前記第２のサブフレームタイプを有するサブフレームが、１４個よりも多いＯＦＤＭまたはＳＣ−ＦＤＭシンボルを備える、請求項１に記載の方法。
【請求項１９】
前記第２のレイヤにおける前記送信が、前記ワイヤレスデバイスによって実行され、前記ワイヤレスデバイスは、ユーザ機器（ＵＥ）または基地局のうちの１つである、請求項１に記載の方法。
【請求項２０】
ワイヤレス通信システム内の階層的通信のためのワイヤレスデバイスに関連付けられた装置であって、
前記ワイヤレス通信システム内で動作するように前記ワイヤレスデバイスを構成するための手段と、ここにおいて、前記ワイヤレス通信システムが、第１のレイヤを通して部分的に定義され、ここにおいて、第１のレイヤ送信が、送信と前記送信の受信の確認応答との間に第１のラウンドトリップ時間（ＲＴＴ）を有する第１のサブフレームタイプを有する、
前記第１のレイヤと多重化された第２のレイヤにおいて前記ワイヤレスデバイスを動作させるための手段と、ここにおいて、第２のレイヤ送信が、前記第１のＲＴＴよりも小さい第２のＲＴＴを有する第２のサブフレームタイプを有する、
を備える装置。
【請求項２１】
ワイヤレス通信システム内の階層的通信のためのワイヤレスデバイスに関連付けられた装置であって、
プロセッサと、
前記プロセッサと電子通信しているメモリと、
前記メモリに記憶された命令とを備え、前記命令は、
前記ワイヤレス通信システム内で前記ワイヤレスデバイスを動作させるように構成することと、ここにおいて、前記ワイヤレス通信システムが、第１のレイヤを通して部分的に定義され、ここにおいて、第１のレイヤ送信が、送信と前記送信の受信の確認応答との間に第１のラウンドトリップ時間（ＲＴＴ）を有する第１のサブフレームタイプを有する、
前記第１のレイヤと多重化された第２のレイヤにおいて前記ワイヤレスデバイスを動作させることと、ここにおいて、第２のレイヤ送信が、前記第１のＲＴＴよりも小さい第２のＲＴＴを有する第２のサブフレームタイプを有する、
を前記装置にさせるように前記プロセッサによって実行可能である、装置。
【請求項２２】
前記命令は、
前記第２のサブフレームタイプと前記第２のＲＴＴとを有する１つまたは複数の他のサブフレームを、フレームの中で送信すること
を前記装置にさせるように前記プロセッサによってさらに実行可能である、請求項２１に記載の装置。
【請求項２３】
前記命令は、
前記第１のサブフレームタイプを有する１つまたは複数のサブフレームを、前記フレームの中で送信すること
を前記装置にさせるように前記プロセッサによってさらに実行可能である、請求項２２に記載の装置。
【請求項２４】
前記第１のサブフレームタイプを有するサブフレームの持続時間が、前記第２のサブフレームタイプを有するサブフレームの持続時間に実質的に等しい、請求項２１に記載の装置。
【請求項２５】
前記第１のサブフレームタイプが、第１の持続時間のシンボルを備え、前記第２のサブフレームタイプが、前記第１の持続時間よりも短い第２の持続時間のシンボルを備える、請求項２１に記載の装置。
【請求項２６】
前記第１のサブフレームタイプとしてのシンボルおよび前記第２のサブフレームタイプとしてのシンボルが、直交周波数分割多重化（ＯＦＤＭ）されたシンボルまたはシングルキャリア周波数分割多重化（ＳＣ−ＦＤＭ）されたシンボルのうちの１つまたは複数を備える、請求項２５に記載の装置。
【請求項２７】
前記命令は、
前記第２の持続時間のシンボルを生成するようにクロックを適合させることによって、前記第１の持続時間のシンボルを生成するように構成された前記ワイヤレスデバイスの前記クロックを利用すること
を前記装置にさせるように前記プロセッサによってさらに実行可能である、請求項２５に記載の装置。
【請求項２８】
前記命令は、
前記第２のサブフレームタイプとしてのサブフレームの中で、データを送信することと、
前記第２のサブフレームタイプとしての前記サブフレーム内で、前記送信の受信の前記確認応答を受信するためのことと
を前記装置にさせるように前記プロセッサによってさらに実行可能である、請求項２１に記載の装置。
【請求項２９】
前記命令は、
２つ以上の別個のコンポーネントキャリアを使用して、前記第１のサブフレームタイプとしての１つまたは複数のサブフレームを同時に送信することと、前記コンポーネントキャリアのうちの少なくとも１つが第１の帯域幅を有する、
第２の帯域幅を有する１つのコンポーネントキャリアを使用して、前記第２のサブフレームタイプとしてのサブフレームを送信することと、前記第２の帯域幅が前記第１の帯域幅よりも大きい、
を前記装置にさせるように前記プロセッサによってさらに実行可能である、請求項２１に記載の装置。
【請求項３０】
ワイヤレス通信システム内の階層的通信のためのコードを記憶する非一時的コンピュータ可読媒体であって、前記コードは、
前記ワイヤレス通信システム内でワイヤレスデバイスを動作させるように構成することと、ここにおいて、前記ワイヤレス通信システムが、第１のレイヤを通して部分的に定義され、ここにおいて、第１のレイヤ送信が、送信と前記送信の受信の確認応答との間に第１のラウンドトリップ時間（ＲＴＴ）を有する第１のサブフレームタイプを有する、
前記第１のレイヤと多重化された第２のレイヤにおいて前記ワイヤレスデバイスを動作させることと、ここにおいて、第２のレイヤ送信が、前記第１のＲＴＴよりも小さい第２のＲＴＴを有する第２のサブフレームタイプを有する、
を行うように実行可能な命令を備える、非一時的コンピュータ可読媒体。